(57)【要約】      （修正有）【課題】フィルター取り付け枠の外側に枠板の左右側端にそれぞれ外側に開閉する蓋を有するフィルター収納室が設けられ、交換作業の能率向上したフィルター交換用装置を提供。【解決手段】枠体には、その略左右側両端にそれぞれ外側に開閉する蓋を有するフィルター収納室を設け、その収納室上下にフィルターカートリッジ軸が、押圧・引圧により着脱自在な嵌合軸受を設け、その軸受けにフィルターカートリッジの軸を着脱し、容易にフィルターカートリッジの交換がきる装置とその枠体の一端に動力とその制御装置を設け、枠体の両側端に設けたボルト孔にボルトを通し、その枠体を既存の空基調和機のフィルターを取除いたフィルター取付枠の外側に当て、フィルター取付枠を挟み込むようにしての内側に上下２個のボルト孔を設けた帯板に前記ボルトを通して螺子止めしてなることを特徴とするフィルター交換装置である。【選択図】図１
0003101034.tif 000002
【実用新案登録請求の範囲】
【請求項１】
枠体２には、その略左右側両端にそれぞれ外側に開閉する蓋３を有するフィルター収納室４，５が設け、その収納室４，５上下にフィルターカートリッジ軸が押圧・引圧により着脱自在な嵌合軸受６，７，８，９が設け、その軸受けにフィルターカートリッジ１０の軸６ａ，７ａ，８ａ，９ａを着脱して、容易にフィルターカートリッジの交換がきる装置と、その枠体２の一端に動力１１とその制御装置１２を設け、枠体２の両側端に設けたボルト孔１３，１４，１５，１６にボルトを通し、その枠体２を、既存の空基調和機のフィルターを取除いたフィルター取付枠２１の外側に当て、フィルター取付枠２１を挟み込むようにしての内側に、上下２個のボルト孔を設けた帯板１７，１８に前記ボルトを通して螺子止めしてなることを特徴とするフィルター交換装置１。
【請求項２】
前記フィルターカートリッジ１０を収納する収納室を有する枠体の一部にフィルター設置室の空気の汚れ具合により、フィルターの交換を２日に１度にするか３日に１度にするかの調節を設定する制御装置１２とその動力装置１１を備えてなることを特徴とする請求項１記載のフィルター交換装置１。
【考案の詳細な説明】
【技術分野】
【０００１】  本考案は、空気調和機におけるフィルター交換装置に関するものである。
【背景技術】
【０００２】  空気調和機は、主として天井或いは壁の高い場所に設置されおり、そのフィルター交換は、設置された空気の汚れ具合にもよるが、場合によっては週に２度３度と頻繁にフィルターの交換をする必要がある。
しかし、フィルターを交換するには、その調和機が比較的高い場所にあるため、その回数を減少することが先決問題である。
そして、新旧のフィルターを交換するには、毎回数多くの螺子を取りはずし、枠を取除く等、交換作業に手間隙を要しており、フィルターの交換装置の簡易化が望まれている。【０００３】  従来からの技術として公開されたフィルター交換装置に係る主な天井取付型の空調装置としては、図１０乃至図１３及び次に示すものがある。
【特許文献１】特開平６−３２３５６５は、天井取付型空調装置に係る発明である。その構成は、リモコンスイッチ２０を操作することにより昇降装置１０によって吊り下げ保持されたフィルター６が、吸い込み口のカバー体５と共に室内床面の近くまで下降してくるようにしたもので図１０に示すものである。
【特許文献２】特開平１０−９９６２７は、フィルタ装置に係る発明である。その構成は、フィルタ１は対向する伸縮機能を有するキャプスタンローラ３，３′により支持され、その一端をドラムロータ２にかけ渡し、差圧検査器９により設定した差圧を検出すると、制御ユニット７によりモータ６に駆動の指令が発信され、動力は減速装置５を経てキャプスローラ４，４′に伝えられ、ドラムロータ２も共廻りを始め、フィルタ押えばねにより押えつけられながらエアガイドカバー１０，１１に案内され順送されるようにしたもので図１１に示すものである。
【特許文献３】特開平１０−１４１７００は、天井装着形空気調和機に係る発明である。その構成は、保守、点検時に本体３保持部２１の拍手１９を引き下げ、この操作により制御手段２５を介して、巻掛機構１７によって吸込口構造体１５を床面に寄りに下降する。この状態で吸込口構造体１５廻りの作業を脚立等を使用することなく行うことができる。また、作業の終了後に拍手１９の再引張操作により巻掛機構１７を介して、吸込口構造体１５及び拍手１９を上昇して本体３の所定位置を保持する。このときに、案内体が保持部２１の縁部に係合して拍手１９を回動する。これにより、拍手１９を保持部２１に自動的に体裁よく収納して美観を向上するようにしたもので図１２に示すものである。
【特許文献４】特開２００１−２０１０８８は、天井埋込型空気調和機に係る発明である。その構成は、エアフィルタ８または吸込みグリル２の他側寄りと、帯電フィルタ９の両側とに、同帯電フィルタを着脱可能に装着する装着部を設け、前記帯電フィルタを着脱する際、化粧パネル７の他側をマグネット受け５ａなどからなる係止部から離脱させるとともに、支軸部４を中心に下方に回動して着脱するようにし他者で図１３に示すものである。
【０００４】  しかし、上記いずれの天井取付型の空調機に係るフィルター交換装置は、複雑でありフィルター交換作業に技術を必要としているなどの問題点がある。
【考案の開示】
【考案が解決しようとする課題】
【０００５】  この考案に係るフィルターの交換装置は、枠体上に左右両側に外側に開閉するフィルターカートリッジ収納室が設けられ、その収納室内の上下にフィルターカートリッジの各軸が嵌合する嵌合軸受けが設けられ、その枠体の一端に動力とその運転作業を操作する制御装置が、設置されているものである。【０００６】  その枠体は、従来の空気調和機の装置からフィルターの部分を取り除きフィルター取り付け部分の内側に２本の帯板金を上下に当て、そのフィルター取り付け部分を挟むようにその外側に上記枠体を螺子により設置するものである。【０００７】  そして、設置された枠体の左右に設けられた収納室の蓋を開閉して、収納室内の各嵌合受軸にフィルターカートリッジの各軸を押圧して嵌合させることにより、空気調和機の準備が完了する。動力の運転作業計画は、２日に一回にするか、３日に一回にするかは、部屋の空気の汚れ具合によるが、予め部屋の空気を検査して決め、制御装置に記録され、その計画に基づいて運転される。【０００８】  解決しようとする問題点は、フィルターを交換するには、その調和機が比較的高い場所にあるので、脚立を用意する回数を減少させてフィルターカートリッジを用いて交換作業能率を向上させる点であり、フィルター交換のための簡易装置が望まれているものである。
【課題を解決するための手段】
【０００９】  上記目的を有する本考案は、従来の天井取付型空気調和機を大幅に改造することなく多少の部品を取り付けることにより、以後、新旧フィルターの交換を簡単に行う装置を設けことを特徴とする空気調和機におけるフィルター交換装置である。【００１０】  フィルター交換装置枠体には、その略左右側両端にそれぞれ外側に開閉する蓋を有するフィルター収納室を設け、その収納室上下にフィルターカートリッジ軸が押圧・引圧により着脱自在な嵌合軸受を設け、その軸受けにフィルターカートリッジの軸を着脱し、容易にフィルターカートリッジの交換がきる装置と、その枠体の一端に動力とその制御装置を設け、枠体２の両側端に設けたボルト孔にボルトを通し、その枠体を既存の空基調和機のフィルターを取除いたフィルター取付枠の外側にあて、フィルター取付枠を挟み込むようにしての内側に上下２個のボルト孔を設けた帯板に前記ボルトを通して螺子止めしてなることを特徴とするフィルター交換装置である。【００１１】  そして、前記フィルターカートリッジを収納する収納室を有する枠体の一部には、フィルター設置室の空気の汚れ具合により、フィルターの交換を２日に１度にするか３日に１度にするかの調節を設定する制御装置とその動力装置を備えてなることを特徴とするフィルター交換装置である。
【考案の効果】
【００１２】  以上、説明したように、本考案のフィルター交換装置は、１度設置すれば交換用フィルターカートリッジの交換のみで済み、しかも、その交換も２０日乃至３０日に１度の交換作業は、古いフィルターカートリッジを引き抜き、変わりに新しいフィルターカートリッジを押圧して差し込むだけであり、その操作は極めて簡単である。
【考案を実施するための最良の形態】
【００１３】  したがって、本考案のフィルター交換は、１度に５０ｃｍ乃至６０ｃｍの移動で、制御装置設定により変動し、その周期は、その部屋の汚れ具合により、２日に１度或いは３日に１度と制御装置の設定により簡単に行うことができるものであり、その設置効果は抜群であり、耐久性に優れているものである。
【実施例】
【００１４】  図１は、本考案の空気調和機におけるフィルター交換装置を設置する状態を示す斜視図であり、図２は、図１の本考案の空気調和機を設置した状態の一部を切り欠いた中央断面図説明である。
図３は、本考案の交換用フィルターカートリッジの斜視図であり、図４は、図３の本考案の交換用フィルターカートリッジを交換作業のため開いた状態の斜視図である。
図５は、本考案の枠体に設けられた嵌合受け軸に交換用フィルターカートリッジの軸が嵌合した状態を示す一部を切り欠いた中央断面図説明である。
図６及び図７は、本考案の枠体に設けられた嵌合受け軸を有する交換用フィルターカートリッジ収納室の扉を開放及び閉鎖した状態を示し、動力からウォム歯車を介してフィルターカートリッジを駆動する状態を２点鎖線で示した説明斜視図である。
図８は、本考案の枠体に設けられた嵌合受け軸を有する交換用フィルターカートリッジ収納室にフィルターカートリッジを収納した状態を点線で示した側面説明図であり、図９は、図８の平面図説明図である。
図１０乃至図１３は、従来技術で示された「特許文献１乃至４」の各発明に係る「図１」の説明図である。【００１５】  以下、本考案に係る考案について、図面に基づいて説明します。図１本考案の枠体２の状態は、従来天井に取り付けられていた空気調和機の装置の鍵２４，２５を解除し、従来のフィルターを取り除き取り付け枠を開いた状態で本考案の枠体２の取付状態を示すものである。【００１６】  図１、２に示す本考案に係る枠体２は、従来の空気調和機の装置からフィルターの部分を取り除きフィルター取り付け部分２１の内側に２個の帯板金１７，１８を上下に当て、そのフィルター取り付け部分２１を挟むようにその外側に上記枠体２を当て、枠体２に設けられたボルト孔１３，１４，１５，１６にボルト１３ａ，１４ａ，１５ａ，１６ａを通し、更に、このボルトをフィルター取付部分２１を介して、帯板金１７，１８のボルト孔１３，１４，１５，１６に通して，螺子により設置するものである。【００１７】  そして、設置された枠体２の左右に設けられた箱体４，５の蓋３を開閉して、収納室４，５の各嵌合受軸６，７，８，９にフィルターカートリッジの各軸６ａ，７ａ，８ａ，９ａを押圧して嵌合させたり、引きぬいたりしてフィルターカートリッジ１０の交換作業を行うものである。【００１８】  動力の運行作業計画は、２日に一回にするか、３日に一回にするかは、部屋の空気の汚れ具合によるが、予め部屋の空気を検査して２日に一回にするか、３日に一回にするかを決め、制御装置１１にセットされ、その計画に基づいて自動的に運転される。【００１９】  フィルターカートリッジ１０は、全長の５００ｍｍで１回の運転距離は５０ｍｍで１０回使用できるが、３日に１度の運転計画によれば１個のフィルターカートリッジで１ヶ月使用できるものであります。そして、その終期を知らせる装置として制御装置には、９回目に達すると橙色のランプ２１が点灯し、最後の１０回目に達すると赤色のランプ２２が点灯して終期を知らせるものである。【００２０】  更に、詳細にフィルターカートリッジ１０の交換作業を説明すると、枠体２には、その略左右側両端に、それぞれ外側に開閉する蓋３を設けてなるフィルター収納室４，５が設けられている。その収納室４，５の上下には、フィルターカートリッジ軸が嵌合する軸受６，７，８，９が設けられ、その軸受けにフィルターカートリッジ１０の軸６ａ，７ａ，８ａ，９ａを嵌合押圧して、嵌合軸受６，７，８，９にフィルターカートリッジ１０を装着する。その際、フィルターカートリッジ１０軸６ａの先端の一部は、図４に示すよう平たくマイナス型６ｂに設けられている。【００２１】  このマイナス型６ｂの先端部分は、動力装置１１からウォム歯車１９で連動する駆動軸２０の先端部分２０ａのマイナス型切れ目になっていて、そこに装着される。これによりフィルターカートリッジ１０は、動力の働きで駆動するものである。【００２２】  フィルターカートリッジ１０の交換は、古いフィルターカートリッジ１０を嵌合受軸６，７，８，９引き抜き、新しいフィルターカートリッジ１０の各軸６ａ，７ａ，８ａ，９ａを嵌合受軸６，７，８，９に押圧すると同じに駆動軸２０の先端部分２０ａのマイナス型切れ目にフィ��ターカートリッジ１０軸６ａの先端マイナス型６ｂの先端部分を差し込み、各収納室４，５の蓋３を閉じてその作業を終了するものである。【００２３】    フィルターカートリッジ１０を収納する収納室を有する枠体の一部にフィルター設置室の空気の汚れ具合により、フィルターの交換を２日に１度にするか３日に１度にするかの調節を設定する制御装置１２とその動力装置１１により運転されるもので、そこ効果は抜群である。
【図面の簡単な説明】
【００２４】
【図１】  本考案の空気調和機におけるフィルター交換装置を設置する状態を示す斜視図である。
【図２】  図１の本考案の空気調和機を設置した状態の一部を切り欠いた中央断面図説明である。
【図３】  本考案の交換用フィルターカートリッジの斜視図である。
【図４】  図３の本考案の交換用フィルターカートリッジを交換作業のため開いた状態の斜視図である。
【図５】  本考案の枠体に設けられた嵌合受け軸に交換用フィルターカートリッジの軸が嵌合した状態を示す一部を切り欠いた中央断面図説明である。
【図６】  本考案の枠体に設けられた嵌合受け軸を有する交換用フィルターカートリッジ収納室の扉を開放した説明図である。
【図７】  図５の交換用フィルターカートリッジ収納室の扉を閉じた状態を示し、フィルターカートリッジを収納した状態を２点鎖線で示した説明斜視図である。
【図８】  本考案の枠体に設けられた嵌合受け軸を有する交換用フィルターカートリッジ収納室にフィルターカートリッジを収納した状態を点線で示した側面説明図である。
【図９】  図８の平面図説明図である。
【図１０】  従来技術「特許文献１」の特開平６−３２３５６５「天井取付型空調装置」に係る発明「図１」の説明図である。
【図１１】  従来技術「特許文献２」の特開平１０−９９６２７「フィルタ装置」に係る発明「図１」の説明図である。
【図１２】  従来技術「特許文献３」の特開平１０−１４１７００「天井装着形空気調和機」に係る発明「図１」の説明図である。
【図１３】  従来技術「特許文献４」の特開２００１−２０１０８８「天井埋込型空気調和機」に係る発明「図１」の説明図である。
【符号の説明】
【００２５】  １    空気調和機におけるフィルター交換装置
２    枠体
３    蓋
４，５    フィルター収納室
６，７，８，９    嵌合軸受
６ａ，７ａ，８ａ，９ａ    フィルターカートリッジ１０の軸
１１    動力
１２    制御装置
１３，１４，１５，１６    ボルト孔
１７，１８    帯板
２１    フィルター取付枠
【図１】
0003101034.tif 000003
【図２】
0003101034.tif 000004
【図３】
0003101034.tif 000005
【図４】
0003101034.tif 000006
【図５】
0003101034.tif 000007
【図６】
0003101034.tif 000008
【図７】
0003101034.tif 000009
【図８】
0003101034.tif 000010
【図９】
0003101034.tif 000011
【図１０】
0003101034.tif 000012
【図１１】
0003101034.tif 000013
【図１２】
0003101034.tif 000014
【図１３】
0003101034.tif 000015